(57)【特許請求の範囲】
【請求項１】
吸込側ケーシング及び少なくとも一基以上の中間ドラム並びに吐出側ケーシングでなるケーシングと、このケーシングに設けた吸込口・吐出口と、このケーシングに内装した少なくともランナーと、で構成されるブロワーであって、前記吸込側ケーシングの内側に騒音防止用の第１吸音材を設け、また中間ドラムに第２吸音材を備えた案内羽根を設け、この第２吸音材と前記第１吸音材との間に隙間を設ける構成とした低騒音ブロワーであって、
前記中間ドラムの大きさを数種にして、この大きさの異なる中間ドラムを選択し、第１吸音材と第２吸音材との間に形成される隙間を変更し、低騒音を図ることを特徴とする請求項１に記載の低騒音ブロワー。
【発明の詳細な説明】
【０００１】
【産業上の利用分野】
本発明は、吸込・吐出側ケーシングと中間ドラムとで構成する低騒音ブロワーの部品共通特性（中間ドラム、案内羽根等の部品の共通化）を達成した簡易でかつ低価格に提供できる組付け型の低騒音ブロワーに関する。
【０００２】
【従来の技術】
従来、騒音を防止する送風機の構成としては、送風機の内部に消音材等を設置する構成と、送風機の外側にサイレンサー等を設ける構成と、が知られている。この種の先行文献を挙げると、次のような例がある。
【０００３】
先ず、前者としては、（１）実開平１−１０３８００号の送風機があり、送風機の羽根車の吐出口側のケーシング内側に通気性のある多孔質の吸音材を設け、また当該送風機の吸込口の外側に一定の距離をおいて該吸込口を覆うように前記多孔質の吸音材を付設する構成である。（２）特開平５−１２６０９７号の送風機の消音装置があり、ファン吸込口を設けた通風ケーシングを有する送風機を設け、本体内のファン吸込口と本体吸込口との間の空間に、ファン吸込口より大きい通風面積の内側通風路を有し、この内側通風路から送風機の回転軸方向に対して交差する方向の複数の空気層を形成した防音ユニットを配設する構成である。
【０００４】
次に、後者としては、（３）実用新案登録第３０１３３２１号の送風機の吸込口取付用サイレンサがあり、筒状体とそれに裏張りした吸音材とによってサイレンサ本体を構成し、吸込口のファンノイズはサイレンサ本体内の導出通路を経て吸引孔から放出されるまでの曲がった経路をたどることによって、また、その間の吸音材により減音される構成である。（４）特開平７−４２６９９号の送風機の消音装置があり、開口付の底を両端に持つ筒状のケースを備え、その内部に軟質の多孔質合成樹脂からなる消音材を備える。この消音材を軸方向に複数個積層して通風路を構成するとともに、この通風路が取扱い気体の動圧で変形しないように、当該消音材の外側の孔が軸方向の棒で串刺しされた構成である。（５）実開平５−９６４９７号の送風機の吸気騒音防止装置があり、送風機を覆う防音ハウスと箱の側面に吸気口と箱内部の空間を中仕切りで蛇行状に形成し適宜吸音材を内壁全面に貼った消音箱と、それらを連通して結ぶ吸気管とからなる構成である。
【０００５】
【発明が解決しようとする課題】
上述した先行文献において、前者では、部品の共通化が図られておらず、製造・在庫・工程管理・コスト等の各面での改良が望まれる。そして、従来の構造では、既設送風機に簡易に設置するには手間を要する課題がある。また個別に考えると、前記（１）の考案は、本発明との共通性が幾分存在するが、前記の如く、機種が異なることと、共通部品でないこと、又はこの考案は送風機の羽根車の吐出口側のケーシング内側に通気性のある多孔質の吸音材を設けた構成であり吸込側でないこと、等の相違点がある。
【０００６】
一方、後者では、サイレンサー等を送風機の外付け（外側に取付ける）構造とするので、例えば、大型化すること、又は吐出口の変更等により設置場所が限定されること、及び時として採用機種が限定されること、等の課題がある。また既設送風機に簡易に設置するには手間を要する課題がある。そして、個々には次のような課題がある。先ず、（３）の考案ではパイプがエルボ状に曲がっており吸引孔の開口を所望する方向に向けることが可能であるが、このエルボ状のパイプにより前記吸引孔の方向、位置が変わってしまうため、配管の接続の際に配管の方向がまちまちになり、コンパクトな取付けをすることは困難である。例えば、図６の例では、送風機の吸込口にサイレンサーＡを縦に取り付けた場合、配管Ｂを接続する部分が上方にあるため少なくとも配管を折り曲げて接続しなければならず、結果的にスペースが余分に必要となる。また折り曲げに基づく圧損が発生する。また図７の例では、多くのスペースを要する。（４）の発明は、消音材の積層作業の困難性を排除するために吸音材を棒で串刺しにする構成であるが、複数の消音材を並べて串刺しにする構成であり場所をとる。しかもこの串刺しはワンタッチでできるものではないので非常に面倒かつ手間がかかってしまう。また（５）の考案では、箱形の消音材が送風機全体を覆うような構成になっているため、明らかに余分なスペースを必要とする。
【０００７】
【課題を解決するための手段】
上記に臨み、本願発明は、従来と同様な取付方法、及び部品の共通化、又は既設送風機への簡易な装着（軸方向への連設による装着）、等を意図した組付け型の低騒音ブロワーを提供する。
【０００８】
請求項１に記載の発明は、吸込側ケーシング及び少なくとも一基以上の中間ドラム並びに吐出側ケーシングでなるケーシングと、このケーシングに設けた吸込口・吐出口と、このケーシングに内装した少なくともランナーと、で構成されるブロワーであって、前記吸込側ケーシングの内側に騒音防止用の第１吸音材を設け、また中間ドラムに第２吸音材を備えた案内羽根を設け、この第２吸音材と前記第１吸音材との間に隙間を設ける構成とした低騒音ブロワーであって、前記中間ドラムの大きさを数種にして、この大きさの異なる中間ドラムを選択し、第１吸音材と第２吸音材との間に形成される隙間を変更し、低騒音を図ることを特徴とする請求項１に記載の低騒音ブロワーである。
【０００９】
【００１０】
【００１１】
【００１２】
【００１３】
【００１４】
【発明の実施の形態】
以下、本発明の好ましい実施の形態を説明する。
【００１５】
先ず、図１の例は吸込側ケーシングを、中間ドラムと吸込側ケーシング板とで構成されている一例であり、換言すれば、単段ブロワーとして機能する構造である。この例では、吐出側ケーシングに二基の中間ドラムを設け、このうち吸込側の中間ドラムに吸込側ケーシング板を設けた構造である。この吐出側ケーシング内に一基のランナーを設け、このランナーに隣接してほぼ２０ｍｍ程度（一例である。以下同じ）の厚さを有する第２吸音材（一例である。以下同じ）を有する案内羽根を設けるとともに、この第２吸音材に対峙するようにほぼ２０ｍｍ程度（一例である。以下同じ）の厚さを有する第１吸音材（一例である。以下同じ）を内側に設けた吸込側ケーシング板を設ける。したがって、吸込側ケーシングの吸込口より吸込まれた空気の流動用の隙間が確保されること、及びこの隙間並びに第１及び第２吸音材で、前記空気の振動及び共鳴現象を吸収すること、が可能となり、吸音・減音等が図れる構成となっている。尚、前記中間ドラム、案内羽根は既設の部品が使用され、部品の共通化が達成される。またこの共通性よりして、既設又は設置された単段ブロワーにも第１・第２吸音材が設けられた案内羽根及び吸込側ケーシングを装着できる。その際に、吸込口は軸方向に延長されることから、配管の位置を変更することなく接続でき重宝する。
【００１６】
次に、図２〜図５の例では、吐出側ケーシングに一段又は複数段の中間ドラムを順次組付けて構成されている一例であり、換言すれば、多段ブロワーとして機能する構造である。この例では、吐出側ケーシングに三基の中間ドラムを設け、このうち吸込側の中間ドラムに吸込側ケーシング筒部と吸込側ケーシング板部でなる吸込側ケーシングを設けた構造である。尚、この吸込側ケーシングの内側には第１吸音材が設けられている。またこの多段ブロワーの最後（一例である。）のランナーに隣接するようにして、第２吸音材が設けられた案内羽根が設けられる。この案内羽根を囲繞する中間ドラムには前記吸込側ケーシングが設けられる。前記中間ドラム、案内羽根は既設の部品が使用され、部品の共通化が達成される。またこの共通性、その他の構成及び作用並びに機能等は前述の図１の例とほぼ同様である。前記の吸込側ケーシング板を使用する構成もできる。
【００１７】
尚、各例とも中間ドラムの大きさ（軸方向の幅）を数種にして、この大きさの異なる中間ドラムを選択し、第１吸音材と第２吸音材との間に形成される隙間の変更を図り、吸音・減音等をなす構成も採用できる。即ち、各寸法（例えば、大中小等）の中間ドラムを選択し、第１吸音材と第２吸音材との間に形成される隙間を変更して、環境、状況等に適合する消音効果が期待できる。
【００１８】
【実施例】
以下、本発明の一実施例を図１〜図５に基づいて説明する。
【００１９】
先ず、図１に示す例のケーシング１は、吐出側ケーシング１０２に二基の中間ドラム１ａ、１ａを設ける。そして、吸込側ケーシング１０１を設けるが、この吸込側ケーシング１０１は、前記中間ドラム１ａのうち吸込側の中間ドラム１ａに吸込側ケーシング板１０１ａを設ける構成、又は中間ドラム１ａと吸込側ケーシング板１０１ａとを一体的に設けた構成、等が採用できる。またこのケーシング１の両端にはエアを取り入れる吸込口２とエアを放出する吐出口３とが設けられている。この吸込口２を経由してケーシング１内に導入されたエアは、例えば、後述するランナーの通風孔（図示せず）及び案内羽根の通風孔（図示せず）を通過した後、当該吐出口３より機外に吐出（排気）される。
【００２０】
このケーシング１にはランナー７が一基設けられており、また当該ランナー７及び吸込口２との間には複数の整流翼６ａを放射状に有する一基の案内羽根６が取り付けられる。この吸込側ケーシング板１０１ａの内側１０１’と、案内羽根６の吸込口側６’にはスポンジ、セラミック、ハニカム構造体、楔構造体、パンチング構造体等の消音特性・遮音特性を備えた第１・第２吸音材４、５が取り付けられている。前記吸込側ケーシング１０１、案内羽根６及び第１・第２吸音材４、５等でサイレンサーが構成される。このサイレンサーの構造物品を含め従来と同じ規格寸法の部品をそのまま使用する。このサイレンサーを既設又は新規製造のブロワーに組付けて本発明の低騒音ブロワーが完成する。図中８はモータを示す。このモータ８の出力軸８ａには前記ランナー７が固定される。尚、吸込口２は図４の如く、吸込側ケーシング１０１内まで延設したベルマウス形にすることもできる。また吸込口２は図２、図３、図５の例、又はその他例等がある。更に前記案内羽根６はケーシング１に鍔片又は取付片等を利用して固定する（以下同じ）。
【００２１】
次に、図２〜図５に示す例は、吐出側ケーシング１０２に三基（一例であり、多数基もある。）の中間ドラム１ａを設けた吸込側ケーシング１０１を設けてなるケーシング１で、このケーシング１の両端にはエアを取り入れる吸込口２とそれを放出する吐出口３とが設けられるが、この例では、吸込口２は第１吸音材４を有する吸込側ケーシング１０１に、また吐出口３はケーシング１又は吐出側ケーシング１０２にそれぞれ設けられる。この例の吸込側ケーシング１０１は、吸込側ケーシング筒部１０１ｃと吸込側ケーシング板部１０１ｂとを個別に形成し、この吸込側ケーシング筒部１０１ｃと吸込側ケーシング板部１０１ｂとを合体した構成又は吸込側ケーシング筒部１０１ｃと吸込側ケーシング板部１０１ｂと一体的に設けた構成等が採用される。尚、エアの吸込、吐出は前述の例とほぼ同様である。尚、図１の例の吸込側ケーシング板１０１ａを使用する場合も有る。
【００２２】
前記ケーシング１の内部には、一基又は数基のランナー７が設けられており、当該ランナー７間と、このランナー７と吸込側ケーシング１０１との間には数基の案内羽根６が設けられる。尚、他の構成は前述の例とほぼ同様である。
【００２３】
前述各例の中間ドラム１ａの大きさは、図示しないが、数種の大きさとして、この大きさの異なる中間ドラム１ａを単独で使用する構成、又はこれらを適宜組合せる構成、等の如く、必要により適宜選択して使用する。尚、場合により、吸込側ケーシング１０１、吸込側ケーシング板１０１ａ、吐出側ケーシング１０２等においても寸法を変更することも有り得る。
【００２４】
また図５は本発明の吸込口２にエア導入用の配管９を接続した状態の一例を示しており、図の如く、配管９は多段ブロワーに対してほぼ水平状態になるように吸込口２に接続される。
【００２５】
【発明の効果】
本発明は以上で詳述したように、吸込側ケーシング及び中間ドラム並びに吐出側ケーシングでなるケーシングであって、この吸込側ケーシング板、吸込側ケーシング等の内側と案内羽根の吸込側に第１・第２吸音材を対峙して設け、この第１・第２吸音材間に設けた中間ドラムの大きさを数種にして、この大きさの異なる中間ドラムを選択し、第１吸音材と第２吸音材との間に形成される隙間を変更可能とする構成としたので、この第１・第２吸音材及び隙間により吸音・減音等の効果が期待できる。またエアのスムーズな流れを確保して、圧損の発生を軽減できる効果が有る。
【００２６】
また本発明は、中間ドラム、案内羽根、吸込側ケーシングを共通する構成であり、部品の共通化が達成されることと、この共通化に伴う効果、例えば、従来と同様な取付方法、又は既設送風機への簡易な装着（軸方向への連設による装着）及び配管の容易化、低コスト化、省部品化等に役立つ実用上での効果を有する。そして、配管の容易化又は既設配管の利用を可能として、設備の有効利用、圧損の発生をなくし得ること、又は装置のコンパクト化等に役立つ発明である。また、各寸法の中間ドラムを選択し、第１吸音材と第２吸音材との間に形成される隙間を変更して、環境、状況等に適合する消音効果が期待できる。
【図面の簡単な説明】
【図１】  本発明の一例を示す一部欠截の断面図である。
【図２】  本発明の他の一例を示す側面図である。
【図３】  図２の一部欠截の断面図である。
【図４】  本発明の吸込口の他の一例を示す断面図である。
【図５】  本発明の配管を取り付けた状態を示す側面図である。
【図６】  サイレンサーを送風機の外部に取付けた従来例を示す側面図である。
【図７】  サイレンサーを送風機の外部に取付けた他の従来例を示す側面図である。
【符号の説明】
１        ケーシング
１ａ      中間ドラム
１０１    吸込側ケーシング
１０１ａ  吸込側ケーシング板
１０１ｂ  吸込側ケーシング板部
１０１ｃ  吸込側ケーシング筒部
１０１’  内側
１０２    吐出側ケーシング
２        吸込口
３        吐出口
４        第１吸音材
５        第２吸音材
６        案内羽根
６’      吸込口側
６ａ      整流翼
７        ランナー
８        モータ
８ａ      出力軸
９        配管
Ａ        サイレンサー
Ｂ        配管
【図１】
0003956018.tif 000002
【図２】
0003956018.tif 000003
【図３】
0003956018.tif 000004
【図４】
0003956018.tif 000005
【図５】
0003956018.tif 000006
【図６】
0003956018.tif 000007
【図７】
0003956018.tif 000008